(57)【特許請求の範囲】
【請求項１】
光源及び通信モジュールを有する異なる種類の複数の照明装置と、
前記通信モジュールを介した通信によって前記複数の照明装置の調整用の設定値を設定する操作端末と
を備え、
前記複数の照明装置は、調光及び調色機能を持つ照明装置Ａ、並びに、調光機能を持ち且つ調色機能を持たない照明装置Ｂを含み、
前記操作端末は、ユーザによって設定された調光及び調色の共通の設定値を用いて、照明装置Ａに対する調光及び調色の設定と照明装置Ｂに対する調光の設定とを、ユーザによる１回の操作をトリガとして一括に行い、
前記調光及び調色機能のいずれか一方を第１機能とした場合、
前記複数の照明装置は、少なくとも前記第１機能を持つ照明装置Ｃ及び照明装置Ｄを含み、
前記操作端末は、ユーザによって設定された前記第１機能の第１設定値を用いた前記照明装置Ｃに対する前記第１機能の設定、並びに、ユーザによって設定された前記第１機能の前記第１設定値とは異なる第２設定値を用いた前記照明装置Ｄに対する前記第１機能の設定を、ユーザによる１回の操作をトリガとして一括に行う
ことを特徴とする照明システム。
【請求項２】
前記操作端末は、前記照明装置Ａに対する調光及び調色の設定と前記照明装置Ｂに対する調光の設定とを、ユーザによる１つの操作部に対する１回の操作をトリガとして一括に行う
ことを特徴とする請求項１記載の照明システム。
【請求項３】
前記複数の照明装置の一部は、色調の異なる複数の前記光源を有する
ことを特徴とする請求項１又は２記載の照明システム。
【請求項４】
前記複数の照明装置の一部は、第１照明装置であり、
前記第１照明装置は、前記光源を含む照明器具を有し、
前記通信モジュールは、前記照明器具に内蔵されている
ことを特徴とする請求項１〜３のいずれか１項記載の照明システム。
【請求項５】
前記複数の照明装置の一部は、第２照明装置であり、
前記第２照明装置は、前記光源を含む照明器具、並びに、前記照明器具の外部に設けられた前記照明器具を制御する制御器を有し、
前記通信モジュールは、前記制御器に内蔵されている
ことを特徴とする請求項１〜４のいずれか１項記載の照明システム。
【請求項６】
前記第２照明装置の制御器は、前記照明装置の調光をし、或いは、調光及び調色をする
ことを特徴とする請求項５記載の照明システム。
【発明の詳細な説明】
【技術分野】
【０００１】
本発明は、照明システム及びその操作端末に関する。
【背景技術】
【０００２】
近年、リモートコントローラによって操作可能な照明器具が多く提案されている（例えば、特許文献１）。実際、リモートコントローラを付属させたシーリングライト等の多くの照明装置が市販されている。
【０００３】
更に、スマートフォン等の多機能端末を所有することが一般的になっている点に注目し、専用のリモートコントローラではなく、このような汎用の多機能端末によって操作可能な照明装置も提案されている。しかし、市販されているものは、一時に、１つの多機能端末から１台の照明装置しか操作できないものである。このような照明システムの場合、複数の照明装置を同じ設定値で設定するには１台ずつ調整する必要があり、ユーザにとって煩雑な操作が強いられる点が問題となる。
【先行技術文献】
【特許文献】
【０００４】
【特許文献１】特開２００２−２８９３６９号公報
【発明の概要】
【発明が解決しようとする課題】
【０００５】
本発明は、複数の照明装置に対して共通の設定値を容易に設定できる照明システム及びその操作端末を提供することを目的とする。
【課題を解決するための手段】
【０００６】
本発明の実施形態に係る照明システムは、光源及び通信モジュールを有する複数の照明装置と、前記通信モジュールを介した通信によって前記複数の照明装置の調整用の設定値を設定する操作端末とを備え、前記操作端末は、ユーザによる１回の操作をトリガとして前記複数の照明装置に対して共通の設定値を設定することを特徴とする。
【発明の効果】
【０００７】
本発明によれば、複数の照明装置に対して共通の設定値を容易に設定できる照明システム及びその操作端末を提供することができる。
【図面の簡単な説明】
【０００８】
【図１】本発明の実施形態に係る照明システムの概要図である。
【図２】同実施形態に係る照明システムの照明装置のブロック図である。
【図３】同実施形態に係る照明システムの照明装置のブロック図である。
【図４】同実施形態に係る照明システムの照明装置のブロック図である。
【図５】同実施形態に係る照明システムの操作端末の操作画面を示す図である。
【図６】同実施形態に係る照明システムの操作端末の操作画面を示す図である。
【図７】同実施形態に係る照明システムの操作端末の操作画面を示す図である。
【図８】同実施形態に係る照明システムの操作端末の操作画面を示す図である。
【図９】同実施形態に係る照明システムの操作端末の操作画面を示す図である。
【図１０】同実施形態に係る照明システムの操作端末の操作画面を示す図である。
【図１１】同実施形態に係る照明システムの操作端末の操作画面を示す図である。
【図１２】同実施形態に係る照明システムの操作端末の操作画面を示す図である。
【図１３】同実施形態に係る照明システムの操作端末の操作画面を示す図である。
【図１４】同実施形態に係る照明システムの操作端末の操作画面を示す図である。
【図１５】同実施形態に係る照明システムの操作端末の操作画面を示す図である。
【図１６】同実施形態に係る照明システムの操作端末の操作画面を示す図である。
【図１７】同実施形態に対する比較例に係る照明システムの概要図である。
【発明を実施するための形態】
【０００９】
本発明の実施形態について図面を参照しながら説明する。
先ず、本発明の実施形態に係る照明システムを説明する前提として本実施形態に対する比較例に係る照明システムについて説明する。
【００１０】
図１７は、本実施形態に対する比較例に係る照明システムの概要図である。
比較例の照明システムは、スマートフォン３と、このスマートフォン３によって設定される２つのシーリングライト１及び２を備える。シーリングライト１及び２の明るさ・色温度の設定値は、ＢＬＵＥＴＯＯＴＨ（登録商標）の通信規格による通信回線を介し、スマートフォン３からシーリングライト１及び２に内蔵された通信モジュールに対して送信される。但し、この照明システムは、１つの操作端末は一時には１つの照明装置としか通信回線を接続できないものとする。この場合、シーリングライト１及び２を設定するには、図１７中Ａに示すように、シーリングライト１との通信回線の接続→シーリングライト１の設定→シーリングライト１との通信回線の切断、をした後、図１７中Ｂに示すように、シーリングライト２との通信回線の接続→シーリングライト２の設定、をする必要がある。つまり、比較例の照明システムの場合、複数のシーリングライト１及び２を設定するには、シーリングライト毎に通信回線の接続／切断を行う必要が生じる。更に、複数のシーリングライト１及び２を共通の設定値で設定する場合にも、個々に設定する必要があるため、ユーザによる操作は煩雑となる。
【００１１】
そこで、本実施形態では、以上のような問題を解決する照明システムについて説明する。
図１は、本実施形態に係る照明システムの概要図である。
本実施形態の照明システムは、光源及び通信モジュールを有する複数の照明装置を備える。照明装置としては、シーリングライト１０ａ、ダウンライト１０ｂ、ペンダントライト１０ｃ、ブラケットライト１０ｄ等、種々の照明装置を利用することができる。また、本実施形態の照明システムは、照明装置の通信モジュールを介した通信によって複数の照明装置を設定する操作端末も備える。通信回線には多チャネル同時制御が可能な種々の通信規格を利用することができるが、以下では、比較例と同様、ＢＬＵＥＴＯＯＴＨの通信規格の利用を前提として説明する。また、操作端末には専用のコントローラを始め、スマートパッド等、種々の端末を利用することができるが、以下では、比較例と同様、スマートフォン２０の利用を前提として説明する。
【００１２】
本実施形態の場合、ＢＬＵＥＴＯＯＴＨが持つ多チャネル同時制御の機能を利用することで、１台のスマートフォンで複数の照明装置を同時に制御することを可能としている。
【００１３】
次に、本実施形態の照明装置について説明する。
図２〜図４は、本実施形態に係る照明システムの照明装置のブロック図である。
図２は、図１に示すシーリングライト１０ａの例である。この照明装置は、電球色ＬＥＤ１１ａ及び白色ＬＥＤ１１ｂの色調の異なる２つの光源と、これら２つの光源を制御するＬＥＤ点灯回路１２を有する照明器具を備える。この照明器具は、スマートフォンと通信する通信モジュール１３を内蔵しており、それ自体が通信機能を持っている。
【００１４】
図３は、図１に示す照明装置のうち調光・調色機能を持つ照明装置の例である。この照明装置１０Ａは、照明器具１６ａ及び調光器１５ａを有する。この照明器具１６ａは、電球色ＬＥＤ１１ａ及び白色ＬＥＤ１１ｂの色調の異なる２つの光源と、これら２つの光源を制御するＬＥＤ点灯回路１２を有する。一方、調光器１５ａは、スマートフォン２０と通信をする通信モジュール１３と、この通信モジュール１３から受信した信号に基づいて、光源の明るさ・色温度を制御するＰＷＭ信号を生成するＰＷＭ調光回路１７を有する。ＰＷＭ調光回路１７及びＬＥＤ点灯回路１２間は調光制御用信号線及び調色制御用信号線で接続されている。ＰＷＭ調光回路１７が生成したＰＷＭ信号は、調光制御用信号線及び調色制御用信号線を介してＬＥＤ点灯回路１２に送信される。また、照明器具１６ａには、ＰＷＭ調光回路１７を介して１００Ｖ交流電源が供給される。
【００１５】
図４は、図１に示す照明装置のうち調光機能のみを持つ照明装置の例である。この照明装置１０Ｂは、照明器具１６ｂ及び調光器１５ｂを有する。この照明器具１６ｂは、ＬＥＤ１１である１つの光源と、この光源を制御するＬＥＤ点灯回路１２を有する。一方、調光器１５ｂは、スマートフォン２０と通信する通信モジュール１３と、この通信モジュール１３から受信した信号に基づいて、光源の明るさを位相制御する位相制御調光回路１８を有する。照明器具１６ｂには、位相制御調光回路１８を介して１００Ｖ交流電源が供給される。
【００１６】
本実施形態の照明システムの場合、図３及び４に示すように、通信モジュール１３を内蔵した調光器１５ａ或いは１５ｂを用意することで、図２のように通信機能を持つ照明器具ばかりでなく、通信機能を持たない照明器具も利用することができる。また、本実施形態の照明システムの場合、通信モジュール１３を内蔵させた調光・調色機能対応の調光器１５ａと調光対応の調光器１５ｂの２種類の調光器を用意することで、図３に示す調光・調色対応の照明装置１０Ａと、図４に示す調光対応の照明装置１０Ｂとを混在させることもできる。
【００１７】
次に、本実施形態の照明システムの操作方法について、操作端末の操作画面を例示して説明する。
図５〜１６は、本実施形態に係る照明システムの操作端末の操作画面を示す図である。ここで示す操作画面は、例えば、スマートフォン上で動作するアプリケーションによって表示される。
【００１８】
図５は、アプリケーションの起動後、起動画面表示後に表示されるメニュー画面の例である。照明システムの各種操作に必要な画面は、このメニュー画面から選択することができる。ユーザは、ウィジェット１００、２００、３００、４００、及び５００をタップすることで、照明装置検索・登録画面（ＳＥＡＲＣＨ）、タイマー画面（ＴＩＭＥＲ）、コントローラ選択画面（ＤＩＳＰＬＡＹ）、照明装置リスト画面（ＬＩＧＨＴ）、バージョン情報画面（ＩＮＦＯＭＡＴＩＯＮ）を表示させることができる。このうち、照明装置リスト画面は、端末装置から操作可能な照明装置として登録されている照明装置の一覧をリスト上に表示する画面である。バージョン情報画面は、アプリケーションのバージョンやアプリケーションの更新情報等を知らせる画面である。また、ユーザは、ウィジェット６００を下方にスライドさせることで、コントローラ画面を表示させることができる。
【００１９】
図６は、照明装置検索・登録画面の一つである照明装置検索画面の例である。照明装置検索画面が表示されると、操作端末は、周辺にある照明装置を検索し、検索が完了するとこの照明装置検索画面に替えて検索結果を示す照明装置登録画面（図示せず）を表示する。ユーザは、照明装置登録画面に示された照明装置の中からこの操作端末によって操作したい所望の照明装置を選択する。これによって、操作端末と照明装置の通信回線が接続される。ここでいう接続には、ＢＬＵＥＴＯＯＴＨにおけるペアリング等も含まれる。なお、ユーザは、ウィジェット１０１をタップすることで、照明装置の検索を停止することができる。
【００２０】
図７は、タイマー画面の例である。タイマー画面は、タイマー設定を行う画面である。タイマー設定は、複数登録することができ、これらタイマー設定の内容は、表示領域２０１に表示される。例えば、表示領域２０１ａのタイマー設定は、月曜日〜金曜日の午前８時にシーン１としてユーザによって記憶された各種設定値を設定するものである。このシーンの記憶方法については後述する。タイマー設定は、ユーザがウィジェット２０２をタップすることで有効化／無効化することができる。また、ユーザがウィジェット２０３をタップすることで新たなタイマー設定を登録することができる。
【００２１】
図８は、コントローラ選択画面の例である。コントローラ選択画面は、照明装置の各種設定値を操作するコントローラ画面を選択する画面である。操作端末には、図８中Ａ及びＢに示された２種類の異なるデザインを持つコントローラ画面が用意されている。以下では、図８中Ａ、Ｂに示されたデザインのコントローラ画面をそれぞれ「コントローラＡ画面」、「コントローラＢ画面」と呼ぶこともある。ユーザは、ウィジェット３０１をタップすることで図８中Ａ及びＢの画面を切り替えることができる。また、ユーザは、ウィジェット３０２をタップした場合にはコントローラＡ画面、ウィジェット３０３をタップした場合にはコントローラＢ画面を選択することができる。
【００２２】
図９は、コントローラＡ画面の例である。この画面は、図８中Ａのウィジェット３０２をタップした場合に表示される。このコントローラＡ画面には、図９中Ａに示すように、いくつかの表示領域６０１ａ〜６０１ｃがあり、各表示領域６０１には対応する照明装置の名称を表示する表示領域６０２と共にこの名称を持つ照明装置の設定値を表すウィジェット６０３及び６０４（スライダ）が表示されている。なお、ウィジェット６０３は照明装置の明るさ、ウィジェット６０４は照明装置の色温度をそれぞれ表している。また、コントローラＡ画面には、図９中Ａに示すように、全ての照明装置を一括に操作するウィジェット６０５も表示されている。ここに表示されている全ての照明装置の明るさ・色温度の設定値は、ユーザが破線６０６で示したいずれかのウィジェット（ボタン）を長押しすることで「シーン」として記憶される。また、この記憶されたシーンは、ユーザが破線６０６で示されたいずれかのウィジェットをタップすることで再生される。
【００２３】
ユーザは、対応する操作領域６０１ａをタップすることで、所望の照明装置を操作するウィジェット６０３及び６０４を有効化することができる。例えば、表示領域６０１ａをタップした場合、名称「ＬＩＧＨＴ  １」を持つ照明装置を操作するウィジェット６０３ａ及び６０４ａを有効化することができる。（以下において、名称「ＬＩＧＨＴ  Ｘ」（Ｘは整数）を持つ照明装置を、「照明装置＜Ｘ＞」と呼ぶこともある）。また、これと同時に、図９中Ｂに示すように、選択した表示領域６０１ａが下方に拡張され、照明装置＜１＞の新たなウィジェット６０７ａが表示される。この際、表示領域６０１ｂ及び６０１ｃは、下方にスクロールされる。なお、全ての表示装置に共通のウィジェットは、破線６０６で示されているように、グレーアウト等によって無効化される。この状態において、ユーザが、ウィジェット６０３ａ及び６０４ａ等を操作することで、照明装置＜１＞の明るさ・色温度等を設定することができる。
【００２４】
図１０は、登録された照明装置の中に、調色機能がなく、調光機能のみを持つ照明装置が含まれている場合のコントローラＡ画面の例である。例えば、照明装置＜３＞が調光機能のみを持つ照明装置であった場合、表示領域６０１ｃには、照明装置＜３＞の明るさを操作するウィジェット６０３ｃしか表示されない。
【００２５】
また、ユーザは、各照明装置を操作するウィジェットを統合させることで、複数の照明装置を共通に操作するウィジェットを表示させることができる。更に、ユーザは、このウィジェットの統合を解除することもできる。
【００２６】
図１１は、ウィジェットを統合する際のコントローラＡ画面の例である。図１１は、照明装置＜１＞及び＜２＞を個別に操作するウィジェットを統合する例を示している。
【００２７】
ウィジェットを統合する場合、ユーザは、始めに、図１１中Ａに示すように、照明装置＜２＞を操作する表示領域６０１ｂ上のウィジェット６０３ｂ及び６０４ｂをドラッグし、続けて、図１１中Ｂに示すように、照明装置＜１＞を操作するウィジェット６０３ａ及び６０４ａが表示された表示領域６０１ａ上にドロップする。これによって、図１１中Ｃに示すように、表示領域６０１ａ上には、照明装置＜１＞及び＜２＞を共通に操作するウィジェット６０３ｄ及び６０４ｄが表示される。これと同時に、表示領域６０２ａに対して、ウィジェット６０３ｄ及び６０４ｄで操作可能な照明装置＜１＞及び＜２＞の名称が表示される。また、ウィジェット６０３ｄ及び６０４ｄで操作できる照明装置の個数は、図１２に示すように、表示領域６０１ａ上のウィジェット６０３ｄ及び６０４ｄの左方の表示領域６０８ａに表示される丸印の数によってユーザに分かり易くしている。ユーザは、統合されたウィジェット６０３ｄ、６０４ｄ等の一回の操作をトリガとして、複数の照明装置＜１＞及び＜２＞に対して共通の設定値を同時又は同時に近い時系列で設定することができる。なお、調光・調色機能を持つ照明装置を操作するウィジェットと、調光機能のみを持つ照明装置を操作するウィジェットの統合も可能である。但し、このウィジェットの操作をした場合、照明装置が持たない機能の設定については無視される。
【００２８】
図１３は、ウィジェットの統合を解除する際のコントローラＡ画面の例である。図１３は、図１１に示すウィジェット６０３ｄ及び６０４ｄの統合を解除する例を示している。
【００２９】
ウィジェットの統合を解除する場合、ユーザは、始めに、図１３中Ａに示すように、表示領域６０１ａ上のウィジェット６０３ｄ及び６０４ｄを長押しする。これによって、図１３中Ｂに示すように、ウィジェット６０３ｄ、６０４ｄ等の統合解除の確認画面が表示される。続けて、ユーザが、ウィジェット６０９をタップすると、ウィジェット６０３ｄ、６０４ｄ等の統合が解除され、図１３中Ｃに示すように、ウィジェット６０３及び６０４等が各表示領域６０１ａ及び６０１ｂに再び表示される。これによって、ユーザは再び、照明装置＜１＞及び＜２＞の明るさ・色温度等を個別に設定することができる。一方、ユーザが、図１３中Ｂに示すウィジェット６１０をタップすることで、ウィジェット６０３ｄ、６０４ｄ等の統合の解除をキャンセルすることができる。
【００３０】
図１４は、コントローラＢ画面の例である。この画面は、図８中Ｂのウィジェット３０３をタップした場合に表示される。このコントローラＢ画面には、図１４中Ａに示すように、縦軸を明るさ、横軸を色温度とするグラフ６５１（調光・調色用の二次元平面）が表示されている。各照明装置の明るさ・色温度を示すウィジェット６５３は、設定値で示されたグラフ６５１上の座標に対して、丸印で表示される。また、各ウィジェット６５３に折れ線で接続された表示領域６５２に対して、各ウィジェット６５３に対応する照明装置の名称が表示される。特定の照明装置が選択されていない場合には、グラフ６５１の上方の表示領域６６１に対して「ＡＬＬ」が表示される。この時、全ての照明装置を共通に操作するウィジェット６５５及び６５６が有効化される。
【００３１】
ユーザは、所望の照明装置を操作するウィジェット６５３をタップすることで、ウィジェット６５３を有効化することができる。例えば、ウィジェット６５３ａをタップした場合、照明装置＜１＞を操作するウィジェット６５３ａを有効化することができる。また、これと同時に、表示領域６６１に対して選択した照明装置＜１＞の名称が表示されると共に、グラフ６５１の下方に照明装置＜１＞を操作する新たなウィジェット６５７ａが表示される。この状態において、ユーザが、ウィジェット６５３ａをグラフ６５１上でスライドさせることで、照明装置＜１＞の明るさ・色温度を設定することができる。なお、ユーザが、グラフ６５１の上方にあるウィジェット６６２をタップした場合、照明装置＜１＞の選択は解除され、図１４中Ａに示すコントローラＢ画面の状態に戻る。
【００３２】
図１５は、ウィジェットを統合する際のコントローラＢ画面の例である。図１５は、照明装置＜１＞及び＜２＞を個別に操作するウィジェットを統合する例を示している。
【００３３】
ウィジェットを統合する場合、ユーザは、始めに、図１５中Ａに示すように、照明装置＜２＞を操作するウィジェット６５３ｂをドラッグし、続けて、図１５中Ｂの白抜き矢印に示すように、照明装置＜１＞を操作するウィジェット６５３ａの表示領域上にドロップする。これによって、図１５中Ｃに示すように、ウィジェット６５３ａが表示されていた箇所に、照明装置＜１＞及び＜２＞を共通に操作するウィジェット６５３ｄが表示される。これと同時に、表示領域６６１とウィジェット６５３ｄに折れ線で接続された表示領域６５２ｄに対して、ウィジェット６５３ｄで操作可能な照明装置＜１＞及び＜２＞の名称が表示される。また、ウィジェット６５３ｄで操作できる照明装置の個数は、図１５中Ｃに示すように、ウィジェット６５３ｄの丸内に表示される数字と、グラフ６５１の上方の表示領域６５８に表示された丸印の数によってユーザに分かり易くしている。ユーザは、統合されたウィジェット６５３ｄ等の一回の操作をトリガとして、複数の照明装置＜１＞及び＜２＞に対して共通の設定値を同時又は同時に近い時系列で設定することができる。
【００３４】
図１６は、ウィジェットの統合を解除する際のコントローラＢ画面の例である。図１６は、図１５に示すウィジェット６５３ｄの統合を解除する例を示している。
【００３５】
ウィジェットの統合を解除する場合、ユーザは、始めに、図１６中Ａに示すように、ウィジェット６５３ｄを長押しする。これによって、図１６中Ｂに示すように、ウィジェット６５３ｄ等の統合解除の確認画面が表示される。続けて、ユーザが、ウィジェット６５９をタップすると、ウィジェット６５３ｄ等の統合が解除され、図１６中Ｃに示すように、統合されていたウィジェット６５３ａ、６５３ｂ等がウィジェット６５３ｄ等の表示箇所の近傍に、再び表示される。これによって、ユーザは再び、照明装置＜１＞及び＜２＞の明るさ・色温度等を個別に設定することができる。一方、ユーザが、図１６中Ｂに示すウィジェット６６０をタップすることで、ウィジェット６５３ｄ等の統合の解除をキャンセルすることができる。
【００３６】
以上から、本実施形態によれば、１つの操作端末から異なる種類、異なる機能を有する複数の照明装置に対して共通の設定値を容易に設定することができる。その結果、例えば、比較例では煩雑であった、シーリングライトとダウンライトといった異なる種類の照明装置の明るさ・色温度の合わせを容易にすることができる。また、操作画面上の照明装置を操作するウィジェットを統合することで、複数の照明装置の一括した設定を容易にすることができる。更に、本実施形態によれば、通信機能（通信モジュール）を持つ調光器を用意することで、通信機能を持たない照明器具であっても、端末操作から操作することができる。
【００３７】
なお、ここまで、発明の実施形態の一例を説明したが、本発明はこれらに限定されるものではなく、発明の趣旨を逸脱しない範囲内において、種々の変更、追加等が可能である。
【符号の説明】
【００３８】
２０・・・スマートフォン、１０・・・照明装置、１１・・・光源、１２・・・ＬＥＤ点灯回路、１３・・・通信モジュール、１５・・・調光器、１６・・・照明器具、１７・・・ＰＷＭ調光回路、１８・・・位相制御調光回路、１００、１０１、２００、２０２、２０３、３００、３０１、３０２、３０３、４００、５００、６００、６０３、６０４、６０５、６０６、６０７、６０９、６１０、６５５、６５６、６５７、６５９、６６０・・・ウィジェット、２０１、６０１、６０２、６０８、６５２、６５７、６５８、６６１・・・表示領域、６５１・・・グラフ。
【図１】
0005965007.tif 000002
【図２】
0005965007.tif 000003
【図３】
0005965007.tif 000004
【図４】
0005965007.tif 000005
【図５】
0005965007.tif 000006
【図６】
0005965007.tif 000007
【図７】
0005965007.tif 000008
【図８】
0005965007.tif 000009
【図９】
0005965007.tif 000010
【図１０】
0005965007.tif 000011
【図１１】
0005965007.tif 000012
【図１２】
0005965007.tif 000013
【図１３】
0005965007.tif 000014
【図１４】
0005965007.tif 000015
【図１５】
0005965007.tif 000016
【図１６】
0005965007.tif 000017
【図１７】
0005965007.tif 000018